(57)【要約】【課題】下収納部には引出しを配置して上収納部はシャッターで塞がれるワゴンにおいて、引出しとシャッターとを１つのダイアル錠でロックすることを可能ならしめる。【手段】ワゴンの上収納部５と下収納部６とは前框７と棚板８とで仕切られており、前框７にダイアル錠１２を取り付けている。本体１の内側面には、引出し１１をロックするための上下動式のロック杆１９が配置されている。ダイアル錠１２の閂板２２には、ブラケット２４を介してロック杆１９を上下動させる第１係止体２３と、棚板８の係合穴２７及びシャッター１０の係合穴２９に嵌脱する第２係止体２８とが設けられている。ダイアル錠１２の番号の変更は、棚板８を取り外して切り換え軸３０をドライバ状操作具で回転させることで可能になる。【選択図】図２
2010131306.tif 000002
【特許請求の範囲】
【請求項１】
左右側板と背板とを有する本体の前面部に、引出しを有する下収納部とその上方の上収納部との境界を成す前框が配置されており、前記前框の後ろには前記下収納部と上収納部とを仕切る棚板が着脱自在又は跳ね上げ回動自在に配置されており、かつ、前記上収納部は少なくとも前方に開口しており、前記本体に、前記上収納部を覆うスライド式又は回動式の蓋体が装着されている、という収納家具であって、
前記前框に、前記引出し又は蓋体若しくは両方をロックするためのダイアル錠が取り付けられており、前記ダイアル錠は、その裏側に番号変更操作部が設けられており、前記棚板を取り外すとダイアル錠の番号変更操作部を操作可能になっている、
収納家具。
【請求項２】
前記本体の内側面のうちダイアル錠に近い個所に、前記引出しを押し込み状態に保持するためのロック杆が上下動可能に装着されている一方、前記ダイアル錠には、その前面に設けた摘まみと一緒に回転する回転軸が後ろ向きに突設されており、前記回転軸に、当該回転軸が施錠状に回転すると前記ロック杆をロック状態と成す第１係止体が設けられている、
請求項１に記載した収納家具。
【請求項３】
前記ダイアル錠には、その前面に設けた摘まみと一緒に回転する回転軸が後ろ向きに突設されており、前記回転軸に、前記棚板を取り外し不能に保持すると共に蓋体を閉じた状態に保持するための鉤状の第２係止体が、ロック姿勢では棚板の上側に突出してロック解除姿勢では棚板の下方に逃げるように設けられている一方、
前記棚板には、前記第２係止体がロック姿勢になるとこれに係合するロック穴が空いており、前記蓋体の先端部には、前記第２係止体がロック姿勢になるとこれに係合するロック部を設けている、
請求項１又は２に記載した収納家具。
【請求項４】
左右側板と背板とを有する本体の前面部に、引出しを有する下収納部とその上方の上収納部との境界を成す前框が配置されており、前記前框の後ろには前記下収納部と上収納部とを仕切る棚板が着脱自在又は跳ね上げ回動自在に配置されており、かつ、前記上収納部は前方及び上方に開口している、という収納家具であって、
前記前框に、前記引出しと棚板とをロックするためのダイアル錠が取り付けられており、前記ダイアル錠は、その裏側に番号変更操作部が設けられており、前記ダイアル錠を解施した状態で棚板を取り外すとダイアル錠の番号変更操作部を操作可能になっている、
収納家具。
【発明の詳細な説明】
【技術分野】
【０００１】
本願発明は、引出しが配置された下収納部の上方をシャッター等の蓋体で開閉される上収納部と成している収納家具に関するものである。
【背景技術】
【０００２】
ワゴンのような収納家具において、本体の内部を棚板によって上収納部と下収納部との仕切り、下収納部に引出しを前後動自在に設ける一方、上収納部は上方と前方とに開口したオープン方式として、この上収納部を、スライド式のシャッターや跳ね上げ回動式蓋で覆うことが行われている。
【０００３】
このようなワゴン方式の収納家具においても、錠を設けねばならない場合がある。そこで、施錠手段として、特許文献１にはシャッターの先端部に錠を設けることが開示されており、また、特許文献２には、引出しと回動式蓋体とにそれぞれ錠を設けることが開示されている。なお、特許文献２の実施形態では、引出しにはダイアル錠を設けて蓋体にはシリンダー錠を設けている。
【特許文献１】特許第３５４８９４０号公報
【特許文献２】特開２００５−９５３７１号公報
【発明の開示】
【発明が解決しようとする課題】
【０００４】
特許文献２は、引出しと蓋体との両方をロックできるようにして欲しいとの要請に応え得るものであるが、引出しと蓋体とにそれぞれ錠を設けねばならないため、コストが嵩むのみならず、ユーザーは両方の錠の解施錠操作をせねばならず操作が煩わしいという問題がある。
【０００５】
また、特許文献２が引出しに使用しているダイアル錠は裏側に番号変更操作部（リセット部）が設けられており、番号をリセットして組み直しできるため、不特定の人が使用する収納家具に好適であるという利点がある。そして、１つのダイアル錠で引出しと蓋体（シャッター）とを同時にロックできると便利であるが、ダイアル錠は裏側からリセット操作するという構造上の制約があるため、従来は特許文献２のように引出しだけに設けざるを得なかったと言える。
【０００６】
本願発明は、このような現状を改善すべく成されたものである。
【課題を解決するための手段】
【０００７】
本願発明は、左右側板と背板とを有する本体の前面部に、引出しを有する下収納部とその上方の上収納部との境界を成す前框が配置されており、前記前框の後ろには前記下収納部と上収納部とを仕切る棚板が着脱自在又は跳ね上げ回動自在に配置されており、かつ、前記上収納部は少なくとも前方に開口しており、前記本体に、前記上収納部を覆うスライド式又は回動式の蓋体が装着されている、という収納家具を対象にしている。
【０００８】
そして請求項１の発明では、前記前框に、前記引出し又は蓋体若しくは両方をロックするためのダイアル錠が取り付けられており、前記ダイアル錠は、その後面部に番号変更操作部が設けられており、前記棚板を取り外すことによってダイアル錠の番号変更操作部を操作可能になっている。
【０００９】
請求項２の発明では、請求項１において、前記本体の内側面のうちダイアル錠に近い個所に、前記引出しを押し込み状態に保持するためのロック杆が上下動可能に装着されている一方、前記ダイアル錠には、その前面に設けた回転式摘まみと一緒に回転する回転軸が後ろ向きに突設されており、前記回転軸に、当該回転軸が施錠状に回転すると前記ロック杆をロック状態と成す第１係止体が設けられている。
【００１０】
請求項３の発明では、請求項１又は２において、前記ダイアル錠には、その前面に設けた摘まみと一緒に回転する回転軸が後ろ向きに突設されており、前記回転軸に、前記棚板を取り外し不能に保持すると共に蓋体を閉じた状態に保持するための鉤状の第２係止体が、ロック姿勢では棚板の上側に突出してロック解除姿勢では棚板の下方に逃げるように設けられている一方、前記棚板には、前記第２係止体がロック姿勢になるとこれに係合するロック穴が空いており、前記蓋体の先端部には、前記第２係止体がロック姿勢になるとこれに係合するロック部を設けている。
【００１１】
請求項４の発明では、左右側板と背板とを有する本体の前面部に、引出しを有する下収納部とその上方の上収納部との境界を成す前框が配置されており、前記前框の後ろには前記下収納部と上収納部とを仕切る棚板が着脱自在又は跳ね上げ回動自在に配置されており、かつ、前記上収納部は前方及び上方に開口している、という収納家具において、前記前框に、前記引出しと棚板とをロックするためのダイアル錠が取り付けられており、前記ダイアル錠は、その裏側に番号変更操作部が設けられており、前記ダイアル錠を解施した状態で棚板を取り外すとダイアル錠の番号変更操作部を操作可能になっている。
【発明の効果】
【００１２】
本願発明では、ダイアル錠を前框に設けたことで引出しと蓋体との両方を１つのダイアル錠でロックすることが可能になっており、かつ、棚板を取り外すと番号をリセットして組み直すことができる。従って、ダイアル錠の利点を活かしつつユーザーの負担を軽減できる。
【００１３】
引出しのロック手段としては、ダイアル錠の係止体（デッドボルト）を引出しの鏡板に係脱させることも可能であるが、この場合は引出しの鏡板にダイアル錠の係止体が嵌脱する穴を空けねばならず、このため引出しを引き出した状態で穴が露出して体裁が悪くなる虞がある。これに対して請求項２の構成を採用すると、引出しには特段の加工を施す必要がないため外観上の問題はなく、また、引出しが複数段あっても、ロック杆を利用していわゆるオールロック機構と成すことで各段の引出しをロックできる。
【００１４】
ダイアル錠で蓋体をロックする場合、ダイアル錠の係止体を蓋体のみに係合させることも可能であるが、棚板は着脱自在であるため、蓋体を完全に閉じていない状態でダイアル錠を施錠してしまうと、棚板を取り外して引出しの内部にアクセスできることになる。この点について請求項３の構成を採用すると、ダイアル錠を施錠した状態で仮に第２係止体が蓋体に係合していなくても棚板に対しては常に係合しているため、棚板を取り外すことはできない。このため、防盗性を確保できる。
【００１５】
ワゴンでは上収納部をオープンにした方式もあるが、本願発明は、この場合も請求項４のようにダイアル錠で棚板をロックすることにより、防盗性は確保しつつ本体にダイアル錠を取り付けることができる。
【発明を実施するための最良の形態】
【００１６】
次に、本願発明の実施形態を図面に基づいて説明する。本願発明は移動自在なワゴンに適用している。図１〜図４では第１実施形態を示し、図５〜図６では第２実施形態を示している。以下、順次説明する。
【００１７】
(1).概略
図１（Ａ）は第１実施形態に係るワゴンの斜視図であり、ワゴンは、４つのキャスター２で移動自在に支持された本体１を有しており、本体１は、左右の側板３と背板１ａと上面の後部のみに配置した天板４とを有している。本体１の前面部には、上収納部５と下収納部６とに分ける前框７が配置されており、かつ、前框７の後ろ側には、当該前框７の上面と同一面を成す状態で棚板８が配置されている。
【００１８】
上収納部５はその全体か前向きに開口していると共に大部分が上向きに開口している。左右側板３の上前部は側面視で円弧状に形成されており、左右側板３の内側面には外周に沿って延びるガイド溝９が形成されており、このガイド溝９に、蓋体の一例としてのシャッター１０の左右側部がスライド自在に嵌め込まれている。
【００１９】
図１はシャッター１０を開いた状態を示しており、開いた状態でシャッター１０の先端は天板４の前端部で止まっている。シャッター１０は樹脂製であってガイド溝９に沿ってスライドし得るように全体として側面視で撓み変形し得るようになっており、かつ、前端部には、閉じた状態で前框７と棚板８とに重なる先端板１０ａと、人が開閉操作するための摘まみ片１０ｂとが一体に形成されている。
【００２０】
下収納部６には、１つの引出し１１がサスペンションレール（図示せず）を介して前後動自在に装置されている。前框７の左側部にはダイアル錠１２が取り付けられている。図１（Ｂ）に明示するように、ダイアル錠１２は、ワゴンの前側に露出した摘まみ１３と４枚のダイアル１４とを有しており、４枚のダイアル１４の数字が設定された番号に揃うと解施されて摘まみ１３は回転自在となり、他方、摘まみ１３をロック状態に回転してから少なくとも１つのダイアル１４を回転させると施錠される。
【００２１】
(2).施錠機構
次に、図２以下の図面も参照して施錠機構の詳細を説明する。図２のうち（Ａ）は後ろ側から見た分離破断断面図で（Ｂ）はワゴンの後部の部分側断面図、図３のうち（Ａ）は要部を示す平断面図で（Ｂ）は（Ａ）のＢ−Ｂ視断面図、図４はロック解施状態で図３（Ｂ）と同じ位置から見た断面図である。
【００２２】
図２（Ａ）に示すように、本体１の側板３は棚板８の個所で上下に分離した内面板１６，１７を有していて全体として中空状に形成されており、上部内側板１６にガイド溝９を形成している。また、下内側板１６のうち手前寄り部位に上下長手の縦長溝１８を形成しており、この縦長溝１８に引出し１１を押し込み状態にロックするためのロック杆１９が上下動可能に嵌め込まれている。
【００２３】
ロック杆１９が下降位置になると引出し１１はロックされ、上昇位置になると引出し１１は前後動自在となる。その機構は広く知られているので説明は省略する（必要なら、例えば特開２００３−７４２４３号公報参照）。上部内側板１６の下端のうち縦長溝１８の後ろ側の部位には、棚板８を支持する内向き水平片１６ａが形成されている。
【００２４】
前框７は後ろ向きに開口した断面略コの字の形態を成しており、その内部にダイアル錠１２が固定されている。また、前框７の後面には、ダイアル錠１２の箇所を除いて棚板８を支持する内向き水平片７ａが形成されている。棚板８はその四周の大部分に折り返し部８ａを形成しており、折り返し部８ａが内側板１６及び前框７の内向き水平片１６ａ，７ａに載っている。
【００２５】
図２（Ｂ）に示すように、棚板８の後端には下向き折り曲げ片とその下端に後ろ向き突設したストッパー片８ｂとが形成されている一方、本体１における背板１ａよりやや手前の部位にはシャッター収納部を区画する後面板１ｂが配置されており、内側板１６の内向き水平片１６ｂと後面板１ｂの下端との間に若干の間隔１ｃを設けることにより、後面板１ｂの下端をストッパー片８ｂが上向き動することを阻止する規制材となしている。このため、棚板８はその上部を上向きに起こさない限り本体１から取り外すことはできない。図２（Ｂ）に示す符号１ｄはシャッター１０のガイド材である。
【００２６】
そして、前記ダイアル錠１２は、摘まみ１３と一緒に回転する回転軸２０を有しており、回転軸２０はダイアル錠１２の本体の後ろ側に突出しており、その端面に閂板２１をビス２２で固定している。閂板２２には、回転軸２０の軸心から離れた位置において後ろ向きに延びる棒材製の第１係止体２３が溶接によって固着されている一方、前記ロック杆１９には平面視略Ｌ形のブラケット２４が溶接やビス止めによって固定されており、ブラケット２４の前板２４ａに形成した左右長手の長穴２５に第１係止体２３が嵌まっている。従って、ダイアル錠１２の摘まみを回転させると第１係止体２３が回転軸２０の軸心回りに移動し、これにより、ブラケット２４を介してロック杆１９が上下動する。
【００２７】
棚板８のうち平面視で閂板２２と重なる位置には左右長手の係合穴２７が空けられている一方、ダイアル錠１２の閂板２２には、その回動によって係合穴２７に下方から嵌脱する鉤状の第２係止体２８が一体に形成されている。回転軸２０の軸心から第２係止体２８に向けて延びる方向と、回転軸２０の軸心から第１係止体２３に向けて延びる方向とは正面視（或いは背面視）で略９０°相違しており、このため、ダイアル錠１２の摘まみ１３をロック姿勢に回動すると、第１係止体２３はロック杆１９をロック位置に下降させると共に、第２係止体２８は棚板８の係合穴２７に嵌まって棚板８を上向き移動不能に保持する。
【００２８】
既述のようにシャッター１０の先端には閉じ状態で前框７と棚板８とに重なる先端板１０ａが形成されているが、この先端板１０ａに棚板８と同様に係合穴２９が形成されている。棚板８の係合穴２７とシャッター１０の係合穴２９と平面視て重なり合っており、従って、ダイアル錠１２の第２係止体２８はシャッター１０の係合穴２９にも嵌合してシャッター１０を開き移動不能に保持する。シャッター１０の係合穴２９（正確には先端板１０ａのうち係合穴２９を設けている部分）は請求項に記載したロックを構成している。
【００２９】
ダイアル錠１２における本体の背面のうち回転軸２０の左右側方の部位には、番号変更操作部の一例としてマイナス型の切り換え軸３０が露出しいてる。切り換え軸３０はマイナスドライバ状の操作具で回転操作することができる。そして、図３（Ｂ）に明示するように、閂板２２には、水平状に寝たロック解除姿勢にすると切り換え軸３０と同心となるガイド穴３１が空けられている。
【００３０】
ガイド穴３１に軸心を挟んだ両側に突出した補助穴３１ａが形成されている。一方、図示していないが、操作具には補助穴３１ａに嵌まるヒレ片を設けており、このため、操作具は切り切り換え軸３０に噛み合う姿勢に保持される。なお、切り換え軸３０はばねに抗して押し込むことで回転可能になっており、操作具で切り換え軸３０を押し込むとヒレ片は閂板２２から離脱し、これによって操作具を回転させ得る。
【００３１】
既述のとおり棚板８はその周囲に折り返し部８ａを形成しているが、折り返し部８ａはダイアル錠１２やブラケット２４と干渉しないように部分的に切欠いている。また、図では省略しているが、棚板８の下面には補強フレームを溶接している。
【００３２】
(3).まとめ
以上のとおり、引出し１１とシャッター１０及び棚板８とはダイアル錠１２によって同時にロックされる。また、棚板８は着脱自在であるため、ロック解除状態で棚板８を取り外してから、切り換え軸３０を操作具で一方方向に回転させてリセットしてから、ダイアル１４を所望の番号に並べ変えて摘まみ１３をロック姿勢に回転させ、次いで、ダイアル１４をランダムに回転させる、という手順によってロック解除番号を変更できる。
【００３３】
ダイアル錠１２を前框７に設けたことで引出し１１とシャッター１０との同時ロックが可能となり、かつ、棚板８が着脱式であることにより、ダイアル錠１２の番号の変更を行えるのであり、更に、ダイアル錠１２を施錠すると棚板８もロックされるため、シャッター１０が完全に閉じていない状態で施錠したことでシャッター１０が開き可能になっていても、棚板８を取り外すことはできないため引出し１１の収納物を取り出すことはできない。
【００３４】
上記の実施形態はシャッター１０のロック部として先端体１０ａに係合穴２９を形成したが、先端板１０ａを有していない場合や先端板１０ａが棚板８に重なっていない場合には、ロック部としては、閂板２２の第２係止体２８が引っ掛かる係止片を設けることも可能である。なお、前框７の下面に固着式の仕切り板を設けてこの仕切り板で下収納部６を塞いでもよい。また、棚板８には引き起こしを容易ならしめるため、人の指先を嵌め込む切欠きや人が指で摘まみを摘まみ片を設けるなどしても良い。
【００３５】
本実施形態のように棚板８にストッパー片８ｂを設けると、棚板８はその着脱の容易性を損なうことなく施錠状態での取り外しを確実に阻止できる利点がある。棚板８の後端部の全体が後面板１ｂの下方に入り込むように設定しても良い（この場合は、棚板８が後ろ向き移動しないように規制する部材が必要である。
【００３６】
(4).第２実施形態（図５〜図６）
図５及び図６に示す第２実施形態は請求項４を具体化したもので、図５のうち（Ａ）は一部破断平面図、（Ｂ）は（Ａ）のＢ−Ｂ視断面図、図６は図５（Ａ）（Ｂ）のVI-VI 視断面図である。この実施形態では、上空間５は蓋体は備えておらずにオープン方式になっている。従って，棚板８は常に人がアクセスできる状態にある。図示は省略するが、棚板８の後端には第１実施形態と同様のストッパー片８ｂを設けている。
【００３７】
そして、ダイアル錠１２による引出し１１の施錠機構は第１実施形態と同様であり、閂板２１から棒状の係止体２３が後ろ向き突出している一方、施錠によって棚板８の上向き移動を阻止するため、棚板８の下面に、係合手段の一例として、閂板２１の回動によって係止体２３が嵌脱する係合溝３４を有するストッパー体３３が溶接によって固着されている。ダイアル錠１２を解施すると係止体２３はストッパー体３３の係合溝３４から離脱するため、棚板８を取り外してダイアル錠１２をリセットすることができる。
【００３８】
本実施形態では、１つの係止体２３で引出し１１と棚板８との両方がロックされるため、構造が簡素化する利点がある。もとより、閂板２１に別々の係止体を設けてもよい。回転軸に２枚の閂板を設けて、両者を引出し１１のロックと棚板８のロックとに別々に使用することも可能である。
【００３９】
(5).その他
本願発明は上記の実施形態の他にも様々ち具体化できる。例えば蓋体を設ける場合、図示したシャッターに限るものではなく、特許文献２のような跳ね上げ回動式のもの、或いは水平回動式のものも採用できる。また、本願発明はキャスターを備えていない定置式キャビネットにも適用できる。上収納部は前方のみに開口した方式とすることも可能であり、その場合、内部に棚板を配置することも可能である。
【００４０】
棚板は必ずしも着脱式とする必要はないのであり、回動式としても、人がダイアル錠の番号変更操作部にアクセスできる。また、棚板を前後複数に分割して、前側の部分のみを着脱式又は回動式とすることも可能である。
【図面の簡単な説明】
【００４１】
【図１】（Ａ）はワゴンの斜視図、（Ｂ）はワゴンの部分正面図である。
【図２】要部を後ろ側から見た分離破断断面図である。
【図３】（Ａ）は要部を示す平断面図、（Ｂ）は（Ａ）のＢ−Ｂ視断面図である。
【図４】ロック解施状態での図３（Ｂ）と同じ位置から見た断面図である。
【図５】第２実施形態を示す図で、（Ａ）は一部破断平面図、（Ｂ）は（Ａ）のＢ−Ｂ視断面図である。
【図６】図５（Ａ）（Ｂ）のVI-VI 視断面図である。
【符号の説明】
【００４２】
１  ワゴンの本体
３  側板
５  上収納部
６  下収納部
７  前框
８  棚板
１０  蓋体の一例としてシャッター
１０ａ  ロック部を構成する先端板
１１  引出し
１２  ダイアル錠
１３  摘まみ
１４  ダイアル
１９  引出しをロックするためのロック杆
２１  閂板
２３  第１係止体
２４  ブラケット
２７  棚板８の係合穴
２８  第２係止体
２９  シャッターのロック部を構成する係合穴
３０  番号変更操作部の一例としての切り換え軸
【図１】
2010131306.tif 000003
【図２】
2010131306.tif 000004
【図３】
2010131306.tif 000005
【図４】
2010131306.tif 000006
【図５】
2010131306.tif 000007
【図６】
2010131306.tif 000008